(57)【特許請求の範囲】
【請求項１】
プラグと接続される、電子機器用のレセプタクルであって、
前記電子機器の筐体内に固定される第１のハウジングと、
前記第１のハウジングの内壁に固定された第２のハウジングと、
内部に前記第２のハウジングが挿入された状態で、前記第１のハウジングと前記第２のハウジングとによって固定される第１のシェルとを備え、
前記第１のシェルは、前記筐体との間に前記筐体の外部に通じる第１の隙間が生じる態様で前記筐体内に配置され、
前記第２のハウジングは、本体部と、前記本体部における前記外部寄りの側面から突出したコンタクト部とを含み、
前記コンタクト部の第１の面には、前記プラグの第２のシェルの内側に設けられた端子と電気的に接続するための端子が設けられ、
前記第１のシェルと前記コンタクト部との間には、前記コンタクト部を囲んだ状態で前記第２のシェルが所定の位置まで挿入される空間が存在し、
前記コンタクト部における前記第１の面とは反対側の第２の面と、前記第１のシェルとの間には、前記空間の一部として、前記第２のシェルの一片が前記所定の位置まで挿入される第２の隙間が存在し、
前記第１のシェルは、前記第２の面に対向する領域に貫通孔を有し、
前記第１のシェルが前記筐体内に配置された状態で、前記第１の隙間と前記第２の隙間とが前記貫通孔によって連通し、
前記第２のシェルが前記所定の位置まで挿入されたときに、前記側面と前記第２のシェルの先端部とが対向し、
前記貫通孔は、前記第２のシェルが前記所定の位置まで挿入されたときに前記先端部が位置している領域に設けられている、レセプタクル。
【請求項２】
前記本体部は、突起部を有し、
前記貫通孔の一部の領域に、前記突起部が設けられている、請求項１に記載のレセプタクル。
【請求項３】
前記本体部は、前記貫通孔に対向する位置に切欠部を有している、請求項１に記載のレセプタクル。
【請求項４】
前記第１のハウジングは、溝部を有し、
前記溝部は、前記第１の隙間の方向に前記貫通孔を覆って延設されるとともに、前記貫通孔と接続され、
前記第１のシェルが前記筐体内に配置された状態で、前記第１の隙間と前記第２の隙間とが前記貫通孔と前記溝部とによって連通する、請求項１に記載のレセプタクル。
【請求項５】
プラグと接続されるレセプタクルを備えた電子機器であって、
前記レセプタクルは、
前記電子機器の筐体内に固定される第１のハウジングと、
前記第１のハウジングの内壁に固定された第２のハウジングと、
内部に前記第２のハウジングが挿入された状態で、前記第１のハウジングと前記第２のハウジングとによって固定される第１のシェルとを備え、
前記第１のシェルは、前記筐体との間に前記筐体の外部に通じる第１の隙間が生じる態様で前記筐体内に配置され、
前記第２のハウジングは、本体部と、前記本体部における前記外部寄りの側面から突出したコンタクト部とを含み、
前記コンタクト部の第１の面には、前記プラグの第２のシェルの内側に設けられた端子と電気的に接続するための端子が設けられ、
前記第１のシェルと前記コンタクト部との間には、前記コンタクト部を囲んだ状態で前記第２のシェルが所定の位置まで挿入される空間が存在し、
前記コンタクト部における前記第１の面とは反対側の第２の面と、前記第１のシェルとの間には、前記空間の一部として、前記第２のシェルの一片が前記所定の位置まで挿入される第２の隙間が存在し、
前記第１のシェルは、前記第２の面に対向する領域に貫通孔を有し、
前記第１のシェルが前記筐体内に配置された状態で、前記第１の隙間と前記第２の隙間とが前記貫通孔によって連通し、
前記空間に前記第２のシェルが前記所定の位置まで挿入されたときに、前記側面と前記第２のシェルの先端部とが対向し、
前記貫通孔は、前記空間に前記第２のシェルが前記所定の位置まで挿入されたときに前記先端部が位置している領域に設けられており、
前記筐体は、前記貫通孔に対向する位置に切欠部を有する、電子機器。
【発明の詳細な説明】
【技術分野】
【０００１】
本発明は、レセプタクルと、レセプタクルを有する電子機器とに関する。
【背景技術】
【０００２】
従来、スマートフォン等の各種の電子機器は、ＵＳＢ（Universal Serial Bus）コネクタあるいはｍｉｃｒｏＵＳＢコネクタ等を備えている。詳しくは、このような電子機器は、メス側のコネクタ（以下、「レセプタクル」と称する）を備え、当該レセプタクルによって外部配線（典型的には、充電用ケーブル）に接続されたオス側のコネクタ（以下、「プラグ」と称する）と接続される。ｍｉｃｒｏＵＳＢコネクタの形状等は、非特許文献１に示した規格によって定まっている。
【０００３】
また、従来、水による端子の腐食または回路の短絡を防止するための構造を有するコネクタが知られている。
【０００４】
たとえば、特許文献１には、端子の腐食を防止することを目的とした、燃料タンク用電気コネクタが開示されている。当該燃料タンク用電気コネクタは、外部接続用カプラの底部から突出するターミナル端子の根元部の周囲を覆う根元サポート部と、隣接する根元サポート部を結合する橋渡リブとを備える。燃料タンク用電気コネクタにおいては、橋渡リブの上端に水滴を下方へ流すリブ傾斜部が設けられている。根元サポート部とガイドとの間において毛細管現象が起こり得る狭小隙間は、樹脂部材によって肉埋めされる。肉埋め部の上端には、水滴を下方へ流す肉埋め傾斜部が設けられている。根元サポート部の上端におけるターミナル端子との接合部には、水滴を下方へ流すサポート傾斜部が設けられている。
【０００５】
また、特許文献２には、回路の短絡を防止することを目的とした、電気接続箱が開示されている。当該電気接続箱においては、ハウジング内に収容された回路基板の下方であって、ハウジングを構成するフレームの下枠部には、第１及び第２排水斜面が形成されている。また、フレームの下枠部には、第２排水斜面の最下部に排水口が形成されている。
【先行技術文献】
【特許文献】
【０００６】
【特許文献１】特開２００８−２４３５６９号公報
【特許文献２】特開２００７−１３５３８５号公報
【非特許文献】
【０００７】
【非特許文献１】Universal Serial Bus Micro-USB Cables and Connectors Specification Revision 1.01, April 4, 2007，2007 USB Implementers Forum, Inc. (USB-IF)
【発明の概要】
【発明が解決しようとする課題】
【０００８】
しかしながら、特許文献１の燃料タンク用電気コネクタは、水抜き穴がないため、水が外部に排出されることはない。それゆえ、多くの水がたまると端子の腐食が起こる可能性がある。また、特許文献２の電気接続箱は、水を内部コネクタに浸入させないために構成であり、内部コネクタに水が浸入した場合を考慮した構成ではない。
【０００９】
本願発明は、上記の問題点に鑑みなされたものであって、その目的は、レセプタクルに侵入した水をプラグの差し込みによって電子機器の外部に排出することが可能なレセプタクル、および電子機器を提供することにある。
【課題を解決するための手段】
【００１０】
本発明のある局面に従うと、レセプタクルは、プラグと接続される、電子機器用のレセプタクルである。レセプタクルは、電子機器の筐体内に固定される第１のハウジングと、第１のハウジングの内壁に固定された第２のハウジングと、内部に第２のハウジングが挿入された状態で、第１のハウジングと第２のハウジングとによって固定される第１のシェルとを備える。第１のシェルは、筐体との間に筐体の外部に通じる第１の隙間が生じる態様で筐体内に配置される。第２のハウジングは、本体部と、本体部における外部寄りの側面から突出したコンタクト部とを含む。コンタクト部の第１の面には、プラグの第２のシェルの内側に設けられた端子と電気的に接続するための端子が設けられている。第１のシェルとコンタクト部との間には、コンタクト部を囲んだ状態で第２のシェルが所定の位置まで挿入される空間が存在する。コンタクト部における第１の面とは反対側の第２の面と、第１のシェルとの間には、空間の一部として、第２のシェルの一片が所定の位置まで挿入される第２の隙間が存在する。第１のシェルは、第２の面に対向する領域に貫通孔を有する。第１のシェルが筐体内に配置された状態で、第１の隙間と第２の隙間とが貫通孔によって連通する。第２のシェルが所定の位置まで挿入されたときに、側面と第２のシェルの先端部とが対向する。貫通孔は、第２のシェルが所定の位置まで挿入されたときに先端部が位置している領域に設けられている。
【発明の効果】
【００１１】
上記の発明によれば、レセプタクルに侵入した水をプラグの差し込みによって電子機器の外部に排出することが可能となる。
【図面の簡単な説明】
【００１２】
【図１】レセプタクル１０を表した図である。
【図２】内部ハウジング１２の斜視図である。
【図３】レセプタクル１０に対してプラグ２０を差し込む場合における、シェル１３に溜まった水滴Ｗの移動を説明するための図である。
【図４】電子機器５０の筐体５１に取り付けられたレセプタクル１０に対してプラグ２０を差し込む場合における、シェル１３に溜まった水滴Ｗの移動を説明するための図である。
【図５】レセプタクル１０の第１の変形例であるレセプタクル１０Ａを説明するための図である。
【図６】内部ハウジング１２Ａの斜視図である。
【図７】レセプタクル１０の第２の変形例であるレセプタクル１０Ｂを説明するための図である。
【図８】内部ハウジング１２Ｂの斜視図である。
【図９】本実施の形態に係るレセプタクル１０Ｃを表した図である。
【図１０】電子機器５０Ａの筐体５１Ａに取り付けられたレセプタクル１０に対してプラグ２０を差し込む場合における、シェル１３に溜まった水滴Ｗの移動を説明するための図である。
【発明を実施するための形態】
【００１３】
以下、図面を参照しつつ、本発明の各実施の形態に係るレセプタクルおよび当該レセプタクルを備えた電子機器について説明する。また、以下の説明では、同一の部材には同一の参照符号を付してある。それらの名称および機能も同じである。したがって、それらについての詳細な説明は繰り返さない。
【００１４】
［実施の形態１］
図１は、本実施の形態に係るレセプタクル１０を表した図である。図１（Ａ）は、レセプタクル１０の斜視図である。図１（Ｂ）は、レセプタクル１０の上面図である。図１（Ｃ）は、図１（Ｂ）におけるI-I線矢視断面図である。
【００１５】
図１（Ａ）を参照して、レセプタクル１０は、外部ハウジング１１と、図示しない内部ハウジング１２（図１（Ｃ）参照）と、シェル１３とを備える。
【００１６】
外部ハウジング１１は、２つの孔１１１と、環状パッキン１１２とを備える。孔１１１は、外部ハウジング１１をスマートフォン等の電子機器の筐体に固定するためのビス用の孔である。環状パッキン１１２は、電子機器の筐体内部への水の浸入を防止するためのパッキンである。
【００１７】
シェル１３は、金属製である。シェル１３は、シェル１３に図示しないプラグ（図３参照）を接続したときに、シールド機能を発揮する。シェル１３の内部形状は、規格により定まっている。シェル１３は、２つの孔１３１と、３つの孔１３２と、端子リード１３３とを備える。シェル１３の内壁１３９には、撥水処理が施されている。
【００１８】
孔１３１は、プラグをロックするために設けられている。孔１３２は、詳細については後述するが、シェル１３の内部（内側）にたまった水をシェルの外部に排出するための貫通孔である。なお、孔１３２の数は、３つに限定されるものではなく、１つ以上であれば特に限定されない。端子リード１３３は、破壊強度を向上させることを目的とした基板半田付け用の端子である。
【００１９】
図１（Ｂ）を参照して、内部ハウジング１２は、電子機器の基板の端子と電気的に接続するための端子リード１２４を備える。詳しくは、端子リードは、基板半田付け用の端子である。端子リード１２４は、外部ハウジング１１の外へと延びている。
【００２０】
図１（Ｃ）を参照して、外部ハウジング１１は、電子機器の筐体内に固定される。内部ハウジング１２は、外部ハウジング１１の内壁に固定される。詳しくは、内部ハウジング１２は、防水用の封止樹脂１４によって外部ハウジング１１に固定される。シェル１３は、内部に内部ハウジング１２が挿入された状態で、外部ハウジング１１と内部ハウジング１２とによって固定される。
【００２１】
内部ハウジング１２は、本体部１２１と、コンタクト部１２２と、端子１２３と、端子リード１２４とを備える。
【００２２】
コンタクト部１２２は、本体部１２１における外部寄りの側面Ｐ１１から突出している。コンタクト部１２２の主面Ｐ２１には、プラグのシェルの内側に設けられた端子（図示せず）と電気的に接続するための端子１２２１が複数設けられている。コンタクト部１２２の表面（端子１２２１，主面Ｐ２２等）と、本体部１２１の側面Ｐ１１とには、撥水処理が施されている。
【００２３】
シェル１３とコンタクト部１２２との間には、コンタクト部１２２を囲んだ状態でプラグのシェルが所定の位置（以下、「位置Ｑ」とも称する）まで挿入される空間Ｓが存在する。また、コンタクト部１２２における主面Ｐ２１とは反対側の主面Ｐ２２と、シェル１３との間には、空間Ｓの一部として、プラグのシェルの一片が上記位置Ｑまで挿入される隙間Ｓａが存在する。
【００２４】
シェル１３は、主面Ｐ２２に対向する領域に孔１３２を有する。つまり、３つの孔１３２は、コンタクト部１２２における主面Ｐ２２に対向する領域に設けられている。
【００２５】
図２は、内部ハウジング１２の斜視図である。図２を参照して、内部ハウジング１２は、本体部１２１と、コンタクト部１２２とを備える。コンタクト部１２２の主面Ｐ２２の反対側に、複数の端子１２２１が設けられている。本体部１２１は、端子リード１３３（図１参照）を通すための２つの孔１２１１を有する。
【００２６】
図３は、レセプタクル１０に対してプラグ２０を差し込む場合における、シェル１３に溜まった水滴Ｗの移動を説明するための図である。図３（Ａ）は、プラグ２０をレセプタクル１０に差し込む前の状態を表した図である。図３（Ｂ）は、プラグ２０をレセプタクル１０の途中まで差し込んだ状態を表した図である。図３（Ｃ）は、プラグ２０を最後まで差し込んだ状態（つまり、プラグ２０が上記位置Ｑまで挿入された状態）を表した図である。
【００２７】
図３（Ａ）を参照して、プラグ２０は、外部ハウジング２１と、金属製のシェル２２と、樹脂製の内部ハウジング２３と、コンタクトバネ２４とを備える。コンタクトバネの表面には端子２４１が設けられている。また、レセプタクル１０における主面Ｐ２２とシェル１３の内壁１３９との間の隙間Ｓａには、水滴Ｗが溜まっているものとする。
【００２８】
図３（Ｂ）を参照して、プラグ２０がレセプタクル１０に対して挿入する場合、レセプタクル１０のシェル１３の内側にプラグ２０のシェル２２が入り込む。隙間Ｓａには、シェル２２の一片が挿入される。つまり、隙間Ｓａは、シェル２２により塞がれる。これにより、隙間Ｓａの水滴Ｗは、内部ハウジング１２の本体部１２１の方に移動する。なお、この場合、端子２４１と端子１２２１とが接触状態（通状態）となる。
【００２９】
図３（Ｃ）を参照して、プラグ２０のシェル２２が上記位置Ｑまで挿入されたときに、本体部１２１の側面Ｐ１１とシェル２２の先端部２２１とが、接触または隙間を有した状態で対向する。孔１３２は、プラグ２０のシェル２２が上記位置Ｑまで挿入されたときにシェル２２の先端部２２１が位置している領域に設けられている。この状態においては、水滴Ｗは、３つの孔１３２のうちの少なくとも１つを通じて、シェル１３の外部に押し出される。なお、レセプタクル１０の２つの孔１３１によって、プラグ２０がレセプタクル１０にロックされる。
【００３０】
このように、レセプタクル１０は、孔１３２を備える。それゆえ、レセプタクル１０にプラグ２０が接続されても、シェル１３の隙間Ｓａに溜まった水滴Ｗは、孔１３２からシェル１３の外部に排出されるため、端子１２２１側の領域Ｓｃに回り込むことはなくなる。したがって、レセプタクル１０によれば、水滴Ｗによる回路の短絡や端子１２２１の腐食を防止することができる。
【００３１】
次に、レセプタクル１０が適用される具体的な構成について説明する。具体的には、レセプタクル１０を備えた電子機器５０における水滴Ｗの移動について説明する。
【００３２】
図４は、電子機器５０の筐体５１に取り付けられたレセプタクル１０に対してプラグ２０を差し込む場合における、シェル１３に溜まった水滴Ｗの移動を説明するための図である。
【００３３】
図４（Ａ）は、プラグ２０を電子機器５０のレセプタクル１０に差し込む前の状態を表した図である。図４（Ｂ）は、プラグ２０をレセプタクル１０の途中まで差し込んだ状態を表した図である。図４（Ｃ）は、プラグ２０を最後まで差し込んだ状態（つまり、プラグ２０が上記位置Ｑまで挿入された状態）を表した図である。
【００３４】
図４（Ａ）を参照して、レセプタクル１０は、電子機器５０の筐体５１に固定されている。その際、レセプタクル１０のシェル１３は、筐体５１との間に筐体５１の外部に通じる隙間Ｓｂが生じる態様で筐体５１内に配置される。つまり、シェル１３の外側の壁面と筐体５１との間には、隙間Ｓｂが生じている。シェル１３が電子機器５０の筐体５１内に配置された状態では、隙間Ｓｂと隙間Ｓａとが孔１３２によって連通する。隙間Ｓｂは、毛細管現象が称する程度の狭小な隙間である。
【００３５】
図４（Ｂ）を参照して、レセプタクル１０のシェル１３の内側にプラグ２０のシェル２２が入り込むと、隙間Ｓａの水滴Ｗは、内部ハウジング１２の本体部１２１の方に移動する。さらには、図４（Ｃ）に示すように、プラグ２０を最後まで差し込むと、水滴Ｗは、隙間Ｓｂに流れ込む。このような構成により、レセプタクル１０のシェル１３の内部に溜まった水滴Ｗを、毛細管現象によって、孔１３２および隙間Ｓｂを介して筐体５１の外部の方向へ移動させることができる。なお、筐体５１と環状パッキン１１２とは密着しているため、水滴Ｗは環状パッキン１１２方向には移動するよりも、筐体５１の外部の方向へ移動する。
【００３６】
したがって、レセプタクル１０を電子機器５０が備えることにより、レセプタクル１０に侵入した水をプラグ２０の差し込みによって電子機器５０の外部に排出することが可能となる。
【００３７】
＜第１の変形例＞
図５は、レセプタクル１０の第１の変形例であるレセプタクル１０Ａを説明するための図である。詳しくは、図５は、図１（Ｃ）に対応する、レセプタクル１０Ａの断面図である。図５を参照して、レセプタクル１０Ａは、外部ハウジング１１と、内部ハウジング１２Ａと、シェル１３とを備える。レセプタクル１０Ａは、内部ハウジング１２Ａを備える点において、内部ハウジング１２を備えるレセプタクル１０とは異なる。
【００３８】
内部ハウジング１２Ａは、本体部１２１Ａと、コンタクト部１２２と、端子リード１２４とを備える。本体部１２１Ａは、突起部１２１２を備える点において、内部ハウジング１２の本体部１２１と異なる。突起部１２１２は、孔１３２の一部の領域（開口領域の一部）に設けられている。
【００３９】
図６は、内部ハウジング１２Ａの斜視図である。図６を参照して、内部ハウジング１２Ａは、本体部１２１Ａに３つの突起部１２１２を備える。３つの突起部１２１２は、３つの孔１３２（図１）に対応した位置に設けられている。なお、突起部１２１２の数は、３つに限定されるものではない。
【００４０】
レセプタクル１０Ａにおいては、突起部１２１２によって孔１３２の開口領域が狭められるため、レセプタクル１０に比べて、孔１３２における水滴Ｗの滞留量を低減することができる。それゆえ、レセプタクル１０Ａによれば、レセプタクル１０に比べて、水滴Ｗを外部に排出する効果を高めることができる。
【００４１】
＜第２の変形例＞
図７は、レセプタクルの第２の変形例であるレセプタクル１０Ｂを説明するための図である。詳しくは、図７は、図１（Ｃ）に対応する、レセプタクル１０Ｂの断面図である。図７を参照して、レセプタクル１０Ｂは、外部ハウジング１１と、内部ハウジング１２Ｂと、シェル１３Ｂとを備える。レセプタクル１０Ｂは、内部ハウジング１２Ｂおよびシェル１３Ｂを備える点において、内部ハウジング１２およびシェル１３を備えるレセプタクル１０とは異なる。
【００４２】
内部ハウジング１２Ｂは、本体部１２１Ｂと、コンタクト部１２２と、端子リード１２４とを備える。本体部１２１Ｂは、切欠部１２１３を備える点において、内部ハウジング１２の本体部１２１と異なる。切欠部１２１３は、孔１３２に対応する位置に設けられている。
【００４３】
シェル１３Ｂは、３つの孔１３２Ｂを有する点において、３つの孔１３２を有するシェル１３と異なる。孔１３２Ｂは、孔１３２を小さくしたものである。具体的には、シェル１３Ｂにおいては、本体部１２１Ｂの側面Ｐ１１よりも内部側（端子リード１２４側）に開口が形成されるように、孔１３２Ｂが形成されている。
【００４４】
図８は、内部ハウジング１２Ｂの斜視図である。図８を参照して、内部ハウジング１２Ｂは、本体部１２１Ｂに３つの切欠部１２１３を備える。３つの切欠部１２１３は、３つの孔１３２（図１）に対応した位置に設けられている。なお、切欠部１２１３の数は、３つに限定されるものではない。
【００４５】
レセプタクル１０Ｂにおいては、切欠部１２１３および孔１３２Ｂによって、レセプタクル１０に比べて、孔１３２に対して水滴Ｗを誘導し易くなる。それゆえ、レセプタクル１０Ａによれば、レセプタクル１０に比べて、水滴Ｗを外部に排出する効果を高めることができる。それゆえ、レセプタクル１０Ａによれば、レセプタクル１０に比べて、水滴Ｗを端子１２２１側の領域（図３の領域Ｓｃを参照）に回り込むことを、より一層防止することができる。
【００４６】
［実施の形態２］
本実施の形態では、実施の形態１とは異なるタイプのレセプタクルについて説明する。
【００４７】
図９は、本実施の形態に係るレセプタクル１０Ｃを表した図である。図９（Ａ）は、レセプタクル１０Ｃの斜視図である。図９（Ｂ）は、レセプタクル１０Ｃの上面図である。図９（Ｃ）は、図９（Ｂ）におけるIX-IX線矢視断面図である。
【００４８】
図９（Ａ）を参照して、レセプタクル１０Ｃは、外部ハウジング１１Ｃと、図示しない内部ハウジング１２Ｃ（図９（Ｃ）参照）と、シェル１３Ｃとを備える。外部ハウジング１１Ｃは、２つの孔１１１と、環状パッキン１１２と、３つの溝部１１３とを備える。溝部１１３の詳細については後述する。
【００４９】
シェル１３Ｃは、金属製である。シェル１３Ｃは、シェル１３に比べて、全長が短い。シェル１３Ｃは、シェル１３と同様に、２つの孔１３１と、３つの孔１３２と、端子リード１３３とを備える。孔１３１は、半分が外部ハウジング１１Ｃによって隠れている。
【００５０】
図９（Ｂ）を参照して、孔１３２は、全てが外部ハウジングによって隠れている。また、孔１３２と溝部１１３とは互いに対向する位置関係にある。
【００５１】
図９（Ｃ）を参照して、外部ハウジング１１Ｃは、電子機器の筐体内に固定される。内部ハウジング１２Ｃは、外部ハウジング１１Ｃの内壁に固定される。詳しくは、内部ハウジング１２Ｃは、防水用の封止樹脂１４によって外部ハウジング１１Ｃに固定される。シェル１３Ｃは、内部に内部ハウジング１２Ｃが挿入された状態で、外部ハウジング１１Ｃと内部ハウジング１２Ｃとによって固定される。
【００５２】
内部ハウジング１２Ｃは、本体部１２１Ｃと、コンタクト部１２２と、端子１２３と、端子リード１２４とを備える。内部ハウジング１２Ｃは、内部ハウジング１２に比べて、全長が短い。
【００５３】
実施の形態１のレセプタクル１０と同様に、シェル１３Ｃとコンタクト部１２２との間には、コンタクト部１２２を囲んだ状態でプラグ２０のシェル２２が所定の位置Ｑまで挿入される空間Ｓが存在する。また、レセプタクル１０と同様に、コンタクト部１２２における主面Ｐ２１とは反対側の主面Ｐ２２と、シェル１３Ｃとの間には、空間Ｓの一部として、プラグ２０のシェル２２の一片が上記位置Ｑまで挿入される隙間Ｓａが存在する。
【００５４】
シェル１３Ｃは、主面Ｐ２２に対向する領域に孔１３２を有する。つまり、３つの孔１３２は、コンタクト部１２２における主面Ｐ２２に対向する領域に設けられている。
【００５５】
各溝部１１３は、筐体との間の図示しない隙間Ｓｂ（図４参照）の方向に孔１３２を覆って延設されるとともに、孔１３２と接続されている。また、レセプタクル１０Ｃでは、シェル１３Ｃが筐体内に配置された状態で、隙間Ｓｂと隙間Ｓａとが孔１３２と溝部１１３とによって連通している。
【００５６】
上記のような構成を有するレセプタクル１０Ｃであっても、プラグ２０を差し込むことにより、実施の形態１と同様の効果を奏する。
【００５７】
［実施の形態３］
本実施の形態では、レセプタクル１０が備え付けられる電子機器の筐体が実施の形態１とは異なる構成について説明する。詳しくは、レセプタクル１０を備えた電子機器５０Ａにおける水滴Ｗの移動について説明する。
【００５８】
図１０は、電子機器５０Ａの筐体５１Ａに取り付けられたレセプタクル１０に対してプラグ２０を差し込む場合における、シェル１３に溜まった水滴Ｗの移動を説明するための図である。
【００５９】
図１０（Ａ）は、プラグ２０を電子機器５０Ａのレセプタクル１０に差し込む前の状態を表した図である。図１０（Ｂ）は、プラグ２０をレセプタクル１０の途中まで差し込んだ状態を表した図である。図１０（Ｃ）は、プラグ２０を最後まで差し込んだ状態（つまり、プラグ２０が上記位置Ｑまで挿入された状態）を表した図である。
【００６０】
図１０（Ａ）を参照して、電子機器５０Ａの筐体５１Ａは、３つの孔１３２に対向する位置に、それぞれ、切欠部５１１を有する。ただし、切欠部５１１の数は、必ずしも孔１３２の数と同じではなくてもよい。たとえば、切欠部５１１は、１つであって、３つの孔１３２の全てと対向する位置および大きさを有する構成であってもよい。
【００６１】
レセプタクル１０は、電子機器５０Ａの筐体５１Ａに固定されている。その際、レセプタクル１０のシェル１３は、筐体５１Ａとの間に筐体５１Ａの外部に通じる隙間Ｓｂが生じる態様で筐体５１Ａ内に配置される。つまり、シェル１３の外側の壁面と筐体５１Ａとの間には、実施の形態１と同様に、隙間Ｓｂが生じている。シェル１３が電子機器５０Ａの筐体５１Ａ内に配置された状態では、隙間Ｓｂと隙間Ｓａとが孔１３２によって連通する。
【００６２】
図１０（Ｂ）を参照して、レセプタクル１０のシェル１３の内側にプラグ２０のシェル２２が入り込むと、隙間Ｓａの水滴Ｗは、内部ハウジング１２の本体部１２１の方に移動する。水滴Ｗの一部は、筐体５１Ａの切欠部５１１に入り込む。さらには、図１０（Ｃ）に示すように、プラグ２０を最後まで差し込むと、水滴Ｗは、隙間Ｓｂに流れ込む。このような構成により、レセプタクル１０のシェル１３の内部に溜まった水滴Ｗを、孔１３２および隙間Ｓｂを介して、筐体５１の外部の方向へ移動させることができる。
【００６３】
特に、本実施の形態では、切欠部５１１が存在するため、水滴Ｗが、表面張力によってシェル１３の外部（具体的には切欠部５１１）に移動しやすくなる。それゆえ、電子機器５０Ａは、実施の形態１の電子機器５０よりも、隙間Ｓｂから効率よく水滴Ｗを電子機器５０Ａの外部に排出することが可能となる。
【００６４】
今回開示された実施の形態は例示であって、上記内容のみに制限されるものではない。本発明の範囲は特許請求の範囲によって示され、特許請求の範囲と均等の意味および範囲内でのすべての変更が含まれることが意図される。
【符号の説明】
【００６５】
１０，１０Ａ，１０Ｂ，１０Ｃ  レセプタクル、１１，１１Ｃ，２１  外部ハウジング、１２，１２Ａ，１２Ｂ，１２Ｃ，２３  内部ハウジング、１３，１３Ｂ，１３Ｃ，２２  シェル、１４  封止樹脂、２０  プラグ、２４  コンタクトバネ、５０，５０Ａ  電子機器、５１，５１Ａ  筐体、１１１，１３１，１３２，１３２Ｂ，１２１１  孔、１１２  環状パッキン、１１３  溝部、１２１，１２１Ａ，１２１Ｂ，１２１Ｃ  本体部、１２２  コンタクト部、１２３，２４１，１２２１  端子、１２４，１３３  端子リード、１３９  内壁、２２１  先端部、５１１，１２１３  切欠部、１２１２  突起部、Ｐ１１  側面、Ｐ２１，Ｐ２２  主面、Ｓ  空間、Ｓａ，Ｓｂ  隙間、Ｓｃ  領域、Ｗ  水。
【図１】
0006279993.tif 000002
【図２】
0006279993.tif 000003
【図３】
0006279993.tif 000004
【図４】
0006279993.tif 000005
【図５】
0006279993.tif 000006
【図６】
0006279993.tif 000007
【図７】
0006279993.tif 000008
【図８】
0006279993.tif 000009
【図９】
0006279993.tif 000010
【図１０】
0006279993.tif 000011